(57)【特許請求の範囲】
【請求項１】
車両駆動トルクを発生するエンジンに対する燃料供給を減速運転時にカットする減速燃料カット手段と、
エンジンのスロットル弁を開閉駆動するスロットル駆動手段と、
エンジン駆動される発電装置の発電量を制御する発電量制御手段と、
前記減速燃料カット手段によりエンジンに対する燃料供給がカットされるときに、前記発電量制御手段により前記発電装置の発電量を増大させる減速エネルギー回収手段と、
車両の要求減速度を判定する要求減速度判定手段と、
前記減速エネルギー回収手段により前記発電量が増大されるときに、前記要求減速度判定手段により判定された要求減速度に応じた開度にスロットル弁の開度を制御して、車両の減速度を制御する減速度制御手段と、
前記減速エネルギー回収手段による発電量の増大制御及び前記減速度制御手段によるスロットル弁開度の制御によって要求減速度が得られるときには、ブレーキ装置を非作動状態に保持し、要求減速度が得られないときに前記ブレーキ装置を作動させるブレーキ作動制御手段と、
を含んで構成されたことを特徴とする車両の減速制御装置。
【請求項２】
前記減速エネルギー回収手段が、前記発電装置の発電量を最大にし、前記減速度制御手段が、前記要求減速度が大きいときほど前記スロットル弁の開度をより小さく制御することを特徴とする請求項１記載の車両の減速制御装置。
【請求項３】
前記減速度制御手段による要求減速度に応じたスロットル弁の開度制御と共に、前記減速エネルギー回収手段が、前記要求減速度に応じて発電量の増大量を変更することを特徴とする請求項１記載の車両の減速制御装置。
【請求項４】
前記減速度制御手段によりスロットル弁の開度が全開に制御されるときに、前記減速エネルギー回収手段が、前記要求減速度が大きいほど前記発電装置の発電量をより大きく増大させることを特徴とする請求項３記載の車両の減速制御装置。
【請求項５】
前記要求減速度判定手段が、ブレーキペダルの踏力及び／又はストローク量と車速とに基づいて要求減速度を判定することを特徴とする請求項１〜４のいずれか１つに記載の車両の減速制御装置。
【請求項６】
ロックアップ機構付トルクコンバータと変速機とを組み合わせた自動変速機を介してエンジンの発生トルクが駆動輪に伝達される構成であり、減速エネルギー回収手段が、前記減速燃料カット手段によりエンジンに対する燃料供給がカットされていて、かつ、前記ロックアップ機構によってロックアップが行われていることを条件として、前記発電量の増大制御を行うことを特徴とする請求項１〜５のいずれか１つに記載の車両の減速制御装置。
【発明の詳細な説明】
【０００１】
【発明の属する技術分野】
本発明は、車両の減速制御装置に関し、詳しくは、減速運転時にオルタネータ等の発電装置の発電量を増大させて、減速エネルギーの回収を図る装置に関する。
【０００２】
【従来の技術】
従来、減速エネルギーの回収を行う装置としては、特開平７−３１０５６６号公報に開示されるような装置があった。
このものは、車両の減速時に自動変速機のロックアップを行い、該ロックアップ状態において、燃料カットを行うと共に、オルタネータの発電量を増大させるものである。
【０００３】
このように、減速運転時に発電量を増大させることができれば、該減速時に発電・充電しておいた電力を、走行中，アイドル運転中に使用することができ、以て、走行中，アイドル運転中の発電量を低減できるので、燃費向上を図れることになる。
【０００４】
【発明が解決しようとする課題】
ところで、上記従来の技術のように、減速燃料カット時にオルタネータの発電量を増大させると、車両の減速度（エンジンブレーキ）が急激に大きくなって運転者に違和感を与える可能性があり、また、車両の減速度に大きな影響を与えない程度に発電量を増大させたのでは、減速エネルギーを効率良く回収することができないという問題があった。
【０００５】
また、減速燃料カットによるエンジンブレーキの立ち上がりを抑制して、発電量を増大させても、減速度が急激に大きくなることを防止すべく、例えば一部気筒に対する燃料カット後に全気筒に燃料カットを拡大させるようにすると、全気筒燃料カットの頻度が低下し、燃費性能に影響を与えることになってしまうという問題があった。
【０００６】
本発明は上記問題点に鑑みなれたものであり、減速度が大きくなり過ぎることを抑止しつつ、オルタネータ等の発電装置の発電量を最大限に増大させて、減速ネルギーを効率良く回収できる減速制御装置を提供することを目的とする。
【０００７】
【課題を解決するための手段】
そのため請求項１記載の発明は、図１に示すように構成される。
図１において、減速燃料カット手段は、減速運転時にエンジンに対する燃料供給をカットする。
スロットル駆動手段はエンジンのスロットル弁を開閉駆動し、発電量制御手段は、エンジン駆動される発電装置の発電量を制御する。
【０００８】
減速エネルギー回収手段は、前記減速燃料カット手段によりエンジンに対する燃料供給がカットされるときに、前記発電量制御手段により前記発電装置の発電量を増大させる。
また、要求減速度判定手段は、車両の要求減速度を判定し、減速度制御手段は、前記減速エネルギー回収手段により前記発電量が増大されるときに、前記要求減速度判定手段により判定された要求減速度に応じた開度にスロットル弁の開度を制御して、車両の減速度を制御する。
更に、ブレーキ作動制御手段は、前記減速エネルギー回収手段による発電量の増大制御及び前記減速度制御手段によるスロットル弁開度の制御によって要求減速度が得られるときには、ブレーキ装置を非作動状態に保持し、要求減速度が得られないときに前記ブレーキ装置を作動させる。
【０００９】
かかる構成によると、減速燃料カットが行われるときに、オルタネータ等の発電装置の発電量を増大させることで、減速エネルギーの回収を図る。ここで、例えば、車両の要求減速度が低いときには、発電量を増大させつつスロットル弁を開けてエンジンのポンピングロスを低下させ、発電量の増大による減速度の増大を回避し、また、要求減速度が高いときには、発電量の増大による減速度の増大を積極的に発揮させるべく、スロットル開度の増大量を絞る（開度を増大させない）ようにする。
更に、要求される減速度が発電量の増大によって得られるときにはブレーキを作動させず、発電量の増大及びスロットル弁の閉制御によっては要求される減速度が得られないときにのみブレーキを実際に作動させ、要求される減速度が発電量の増大とブレーキ制動とによって得られるようにする。
【００１０】
請求項２記載の発明では、前記減速エネルギー回収手段が、前記発電装置の発電量を最大にし、前記減速度制御手段が、前記要求減速度が大きいときほど前記スロットル弁の開度をより小さく制御する構成とした。
【００１１】
請求項３記載の発明では、前記減速度制御手段による要求減速度に応じたスロットル弁の開度制御と共に、前記減速エネルギー回収手段が、前記要求減速度に応じて発電量の増大量を変更する構成とした。
かかる構成によると、例えばスロットル弁開度を全開にしても、発電量を最大に増大したのでは要求減速度を上回ってしまう場合には、発電量の増大量を減少させて、要求減速度が得られるようにする。
請求項４記載の発明では、前記減速度制御手段によりスロットル弁の開度が全開に制御されるときに、前記減速エネルギー回収手段が、前記要求減速度が大きいほど前記発電装置の発電量をより大きく増大させる構成とした。
【００１２】
請求項５記載の発明では、前記要求減速度判定手段が、ブレーキペダルの踏力及び／又はストローク量と車速とに基づいて要求減速度を判定する構成とした。
かかる構成によると、運転者がブレーキペダルを踏み込む力である踏力や、ブレーキペダルの踏み込み量に相当するストローク量が大きいときには、それだけ車両の要求減速度が高いものと判定でき、更に、同じ踏力，ストローク量のときでも、高車速側ほど車両の要求減速度は高いものと判断できる。
【００１５】
請求項６記載の発明では、ロックアップ機構付トルクコンバータと変速機とを組み合わせた自動変速機を介してエンジンの発生トルクが駆動輪に伝達される構成であり、減速エネルギー回収手段が、前記減速燃料カット手段によりエンジンに対する燃料供給がカットされていて、かつ、前記ロックアップ機構によってロックアップが行われていることを条件として、前記発電量の増大制御を行う構成とした。
【００１６】
かかる構成によると、ロックアップ機構付きのトルクコンバータと変速機との組み合わせからなる自動変速機を介してエンジンの発生トルクが駆動輪に伝達される構成において、前記ロックアップ機構によるロックアップによって変速機とエンジンとが直結され、駆動輪がエンジンを回転駆動する減速運転時であって、かつ、エンジンへの燃料供給がカットされているときに、発電量の増大制御が行われる。
【００１７】
【発明の効果】
請求項１，２記載の発明によると、燃料カットが行われる減速時に、発電装置の発電量を増大させて、減速エネルギーの回収を図れると共に、車両の要求減速度に応じてスロットル弁開度を制御することで、減速度が大きくなり過ぎることを回避しつつ、要求減速度が大きいときには、発電量の増大による減速度の増大を有効利用できるという効果がある。また、発電量の増大制御とスロットル弁の開度制御とによって、通常ブレーキ装置によって得られる減速度を実現できるときには、ブレーキ操作に対してブレーキ装置を作動させず、発電量の増大制御によっては要求減速度を得られない場合には、ブレーキ操作に対して実際にブレーキ装置を作動させるので、ブレーキ装置の作動が抑制されてブレーキパッドの摩耗を防げる等、ブレーキ装置の耐久性を向上させることができる。
【００１８】
請求項３，４記載の発明によると、要求減速度が比較的低く、スロットル弁開度を増大させてエンジンのポンピングロスを低下させても要求減速度を上回る場合に、発電量の増大代を抑制して、要求減速度を実現できるという効果がある。
【００１９】
請求項５記載の発明によると、ブレーキペダルの踏力及び／又はストローク量と車速とに基づいて要求減速度を判定することで、車両の要求減速度を正しく判定することができるという効果がある。
【００２０】
請求項６記載の発明によると、トルクコンバータ式自動変速機を介してエンジンの発生トルクが駆動輪に伝達される構成の車両において、ロックアップがなされてエンジンブレーキがかかるときに発電量を増大させるので、発電量の増大によってエンジンに加わる負荷が増大してもエンストすることなく、減速エネルギーを有効に回収できるという効果がある。
【００２１】
【発明の実施の形態】
以下に本発明の実施の形態を説明する。
図２は、実施の形態における車両のシステム構成図であり、エンジン１の発生トルクは、ロックアップ機構付トルクコンバータと変速機とを組み合わせた自動変速機２を介して図示しない駆動輪に伝達される。前記自動変速機２の変速動作及びロックアップは、Ａ／Ｔコントロールユニット（ＡＴＣＵ）３によって制御される。尚、変速機は、歯車式又は無段式のいずれであっても良い。
【００２２】
一方、エンジン１には、モータ４（スロットル駆動手段）で開閉駆動されるスロットル弁５で計量された空気が吸入されるようになっており、前記モータ４及び図示しない燃料噴射弁によるエンジンへの燃料供給は、エンジンコントロールモジュール（ＥＣＭ）６によって制御される。
オルタネータ７は、プーリとベルトを介してエンジン１で駆動されるものであり、車両の電気負荷に電力を供給すると共に、バッテリ８を充電する発電装置である。該オルタネータ７の発電量を制御すべく、前記ＥＣＭ６は、オルタネータ７の励磁電流をデューティ制御するようになっている（発電量制御手段）。
【００２３】
前記ＥＣＭ６には、前記ＡＴＣＵ３からのロックアップ信号（Ｌ／Ｕ信号）が入力されると共に、前記自動変速機２の出力軸から回転信号を取り出す車速センサ９からの車速信号が入力される。
また、車両には、油圧式のブレーキ装置10が備えられている。前記ブレーキ装置10には、図示しない油圧発生源からの油圧が油圧コントロールバルブ11によって調整されて供給される構成となっており、前記油圧コントロールバルブ11は、ブレーキコントロールユニット12によって制御される。
【００２４】
前記ブレーキコントロールユニット12には、図示しないブレーキペダルの踏力を検出する踏力センサ13（又はブレーキペダルのストローク量を検出するストロークセンサ）からの検出信号が入力され、該検出信号に基づいて前記油圧コントロールバルブ11を制御する。
また、前記踏力センサ13（又はストロークセンサ）の検出信号は、前記ＥＣＭ６にも入力されるようになっている。
【００２５】
前記ＥＣＭ６は、前記ブレーキコントロールユニット12に対してエンジンブレーキ量を示す信号を出力し、ブレーキコントロールユニット12は、後述するように、運転者のブレーキ操作に対する実際のブレーキ作動を前記エンジンブレーキ量を示す信号に基づいて制御する。
図３は、上記システム構成図における制御関係を示す制御ブロック図である。
【００２６】
上記構成において、車両の減速運転時には、図４及び図５のフローチャートに示すようにして、前記ＥＣＭ６がエンジン１への燃料供給，オルタネータ７の発電量，スロットル弁５の開度を制御する。
図４及び図５のフローチャートにおいて、ステップ１（図中にはＳ１と記してある。以下同様）では、車両が減速運転中であるか否かをアクセル開度，車速等に基づいて判別し、減速運転中であればステップ２へ進む。
【００２７】
ステップ２では、エンジン回転数（rpm)が所定回転数ａ（例えば2500rpm)以上であるか否かを判別し、エンジン回転数が所定回転数ａ以上であれば、ステップ３へ進む。
ステップ３では、車両の減速開始から所定時間ｂ（例えば0.1 〜0.5 秒程度）以内であるか否かを判別する。
【００２８】
減速開始から所定時間ｂ以内であるときには、燃料カットを実行するステップ４へ進まないことにより、燃料カットのディレー処理（カットインディレー）が行われる（図６参照）。尚、前記燃料カットのディレー中においては、エンジンの吹け上がり防止のために、走行中よりもスロットル弁開度ＴＶＯを低く保つようにすると良い。
【００２９】
減速開始から所定時間ｂ（カットインディレー）が経過すると、ステップ３からステップ４へ進み、エンジン１への燃料供給を停止させる所謂減速燃料カットを実行させる（減速燃料カット手段）。
ステップ４で減速燃料カットを実行すると、ステップ５へ進み、自動変速機のトルクコンバータに備えられたロックアップ機構によってロックアップが行われている状態であるか否かを判別する。
【００３０】
ロックアップ中でないときには、ステップ20へジャンプして進み、燃料供給を再開すべきか否かの判断を行わせるが、ロックアップ中であれば、ステップ６へ進む。
ステップ６では、減速燃料カット開始から所定時間ｃ（例えば0.1 〜0.5 秒程度）以内であるか否かを判別する。
【００３１】
減速燃料カット開始から所定時間ｃ以内であるときには、ステップ７へ進み、スロットル弁開度ＴＶＯを予め設定された中間開度まで増大させる（図６参照）。これにより、燃料カット（全気筒燃料カット）を行わせつつ、燃料カット時の急激なエンジンブレーキの立ち上がりを防止することができる。
一方、減速燃料カット開始から所定時間ｃが経過すると、ステップ８へ進み、前記踏力センサ13で検出されるブレーキペダルの踏力（又はストロークセンサで検出されるストローク量）と車速とに基づいて、要求減速度を算出する。
【００３２】
尚、要求減速度は、マイナスの値として算出され、その絶対値が大きいときほど、より急激な減速を要求する状態を示すものとする。
ステップ８で要求減速度を算出すると、ステップ９以降では、前記要求減速度を複数レベルに判別し、該判別結果に応じてスロットル弁開度ＴＶＯ，オルタネータ７の発電量の統合制御を実行する。
【００３３】
まず、ステップ９では、前記ステップ８で算出した要求減速度と、基準減速度(3) とを比較する。本実施の形態では、要求減速度を基準減速度(1) 〜(3) と比較することで６段階に判別するようになっており、マイナスの値である前記基準減速度(1) 〜(3) は、基準減速度(1) ＞基準減速度(2) ＞基準減速度(3) であり、基準減速度(3) が最も急激な減速状態を示す値であるから、前記要求減速度の値自体が前記基準減速度(3) の値自体よりも小さいときに最も急激な減速が要求されていることになる（要求減速度判定手段）。
【００３４】
ステップ９で、上記の要求減速度＜基準減速度(3) であると判別されたときには、ステップ10へ進み、スロットル弁開度を全閉にし、かつ、オルタネータ７の発電量を最大量まで増大させ（減速エネルギー回収手段）、かつ、ブレーキを作動させる（ブレーキ作動制御手段）。
即ち、スロットル弁開度を全閉にし、かつ、オルタネータ７の発電量を最大にすれば、エンジン１のポンピングロスが大きく、然も、オルタネータ７の駆動負荷が加わることで、強いエンジンブレーキがかかることになるが、これでも要求減速度が得られないので、ブレーキを作動させて、要求減速度が得られるようにする。
【００３５】
スロットル弁開度を全閉にし、かつ、オルタネータ７の発電量を最大にしたときに得られる減速度が要求減速度に略一致する場合には、オルタネータ７の発電量を最大にしたことがブレーキ作動の代わりになって、要求減速度が得られることなるので、たとえブレーキ操作が行われていても、実際にブレーキを作動させる必要はない。しかし、要求減速度＜基準減速度(3) であるときには、スロットル弁開度を全閉にし、かつ、オルタネータ７の発電量を最大にしても要求減速度にならないので、実際にブレーキを作動させて要求減速度が得られるようにするものである。換言すれば、スロットル弁開度を全閉にし、かつ、オルタネータ７の発電量を最大にしても要求減速度にならない領域を、前記基準減速度(3) で判別させている。
【００３６】
一方、ステップ９で、要求減速度≧基準減速度(3) であると判別されると、ステップ11へ進み、要求減速度＝基準減速度(3) であるか否かを判別する。
要求減速度＝基準減速度(3) であれば、ステップ12へ進み、スロットル弁開度を全閉にし、かつ、オルタネータ７の発電量を最大にする（減速エネルギー回収手段）。即ち、要求減速度＝基準減速度(3) であれば、ブレーキ操作に対してブレーキを実際に作動させなくても、スロットル弁開度を全閉にし、かつ、オルタネータ７の発電量を最大にすることで、要求減速度が得られるので、ステップ12では、たとえブレーキ操作状態であってもブレーキ作動は行わせない（ブレーキ作動制御手段）。従って、基準減速度(3) ≦要求減速度であれば、ブレーキは作動させずに、スロットル弁開度の制御と発電量の制御とによって要求減速度が得られるようにすることになり、ブレーキ作動が抑制されてブレーキパッドの摩耗等、ブレーキ性能の経時劣化を抑制できる。
【００３７】
また、ステップ11で、要求減速度＞基準減速度(3) であると判別されると、ステップ13へ進み、要求減速度＜基準減速度(2) であるか否かを判別する。
要求減速度＜基準減速度(2) であれば、ステップ14へ進み、スロットル弁開度を中間開度にし（減速度制御手段）、かつ、オルタネータ７の発電量を最大にする（減速エネルギー回収手段）。即ち、基準減速度(3) ＜要求減速度＜基準減速度(2) のときには、スロットル弁開度を全閉にし、かつ、オルタネータ７の発電量を最大にすると、要求よりも実際の減速が急激になってしまうので、スロットル弁を開けてポンピングロスを減少させるか、オルタネータ７の発電量を抑制する必要があるが、ここでは、減速エネルギーの効率の良い回収を行わせるべく、スロットル弁を開けてポンピングロスを減少させる方を選択する。また、基準減速度(3) ＜要求減速度＜基準減速度(2) のときにも、ブレーキ作動無しに要求減速度を実現できるので、ブレーキは作動させない。
【００３８】
ステップ13で、要求減速度≧基準減速度(2) であると判別されたときには、ステップ15へ進み、要求減速度＝基準減速度(2) であるか否かを判別する。
要求減速度＝基準減速度(2) であれば、ステップ16へ進み、図６に示すように、スロットル弁開度を全開にし（減速度制御手段）、かつ、オルタネータ７の発電量を最大にする（減速エネルギー回収手段）。即ち、基準減速度(2) ＝要求減速度のときには、要求減速度＜基準減速度(2) であるときよりも、更に、エンジンのポンピングロスを減少させて、最大発電量のままで要求減速度が得られるようにするものである。
【００３９】
ステップ15で、要求減速度＞基準減速度(2) であると判別されたときには、ステップ17へ進み、要求減速度＜基準減速度(1) であるか否かを判別する。
要求減速度＜基準減速度(1) であれば、ステップ18へ進み、スロットル弁開度を全開にし（減速度制御手段）、かつ、オルタネータ７の発電量を最大量ではないが通常よりも多いレベルにまで増大させる（減速エネルギー回収手段）。即ち、基準減速度(2) ＜要求減速度＜基準減速度(1) のときには、スロットル弁開度を全開にし、かつ、オルタネータ７の発電量を最大にした状態では、要求減速度よりも実際の減速が急激になってしまい、然も、スロットル弁開度の制御によっては更なる減速度の緩和は行えないので、発電量の増大代を抑制することで、要求減速度が得られるようにする。
【００４０】
ステップ17で、要求減速度≧基準減速度(1) であると判別されたときには、ステップ19へ進み、発電量を通常値に保持したまま、スロットル弁開度を全開にして、最も緩やかな減速を実現させる（減速度制御手段）。
尚、ステップ11及びステップ15において、「要求減速度≒基準減速度」の条件式として、道路勾配等の諸条件を考慮して幅をもたせた減速度の判定方法としても良い。
【００４１】
以上の要求減速度に応じたスロットル弁開度，発電量，ブレーキ作動の制御特性をまとめると、図７に示すようになり、発電量をなるべく最大量に増大するようにして（減速エネルギー回収手段）、要求減速度に対する過不足分を、スロットル弁開度制御，ブレーキ作動制御によって補償する特性となっている（減速度制御手段，ブレーキ作動制御手段）。
【００４２】
減速燃料カット中であってかつロックアップ状態であるときに、上記のようにして、要求減速度に応じたスロットル弁開度，発電量の統合制御を行うと、ステップ20へ進み、燃料供給を再開させるべきであるか否かを、エンジン回転数に基づいて判別する。
エンジン回転数が所定回転数ｄ（例えば1100 rpm) 以上であるときには、燃料カット状態を継続できるものと判断してステップ５へ戻るが、エンジン回転数が所定回転数ｄ未満になった場合には、ステップ21へ進んで、エンジンへの燃料供給を再開させると共に、オルタネータ７の発電量を元に戻し、スロットル制御，ブレーキ制御を通常状態に復帰させる。
【００４３】
尚、上記実施の形態では、自動変速機を備えた車両を例としたが、手動式の変速機を備える車両であっても良い。
また、エンジンとモータとで車輪を駆動する所謂パラレル・ハイブリッド方式の車両において、減速時にエンジンを変速機から切り離せない（切り離さない）場合には、スロットル弁が閉じられることによるポンピングロスの増大により減速エネルギーの回収が十分に行えないことになるが、このような場合でも、上記実施の形態と同様にして減速時にスロットル弁開度を調整してポンピングロスを制御することで、モータを発電機として用いて減速エネルギー回収率を上げることができる。
【図面の簡単な説明】
【図１】請求項１記載の発明に係る減速制御装置の基本構成を示すブロック図。
【図２】実施の形態における車両のシステム構成図。
【図３】図２に示されるシステムにおける制御ブロック図。
【図４】上記実施の形態における減速時のスロットル，発電量の統合制御の様子を示すフローチャート。
【図５】上記実施の形態における減速時のスロットル，発電量の統合制御の様子を示すフローチャート。
【図６】上記実施の形態の制御特性を示すタイムチャート。
【図７】上記実施の形態における要求減速度に対するスロットル開度，発電量，ブレーキ作動制御の特性を示す図。
【符号の説明】
１    エンジン
２    自動変速機
３    Ａ／Ｔコントロールユニット（ＡＴＣＵ）
４    モータ
５    スロットル弁
６    エンジンコントロールモジュール（ＥＣＭ）
７    オルタネータ
８    バッテリ
９    車速センサ
10    ブレーキ装置
11    油圧コントロールバルブ
12    ブレーキコントロールユニット
13    踏力センサ
【図１】
0003690084.tif 000002
【図２】
0003690084.tif 000003
【図３】
0003690084.tif 000004
【図４】
0003690084.tif 000005
【図５】
0003690084.tif 000006
【図６】
0003690084.tif 000007
【図７】
0003690084.tif 000008